(57)【要約】【課題】携帯電話装置などの各種装置内に、特に低周波用のアンテナを効率的に収納可能とするとともに、装置利用時の人体によるアンテナインピーダンスの乱れなどが生じないようにすることを目的とする。【解決手段】携帯電話装置の筐体１４，１５上部付近などに、プリント基板１６上に形成された基板アンテナ部２０と、板金アンテナ２１からなるアンテナを収納する。基板アンテナ部２０は、プリント基板上に他の配線パターンとともに形成される導体パターンを含む。【選択図】図２
2008153801.tif 000002
【特許請求の範囲】
【請求項１】
無線機能を有する装置に搭載可能なアンテナにおいて、
前記装置のプリント基板の少なくとも一つの面に形成された導体パターンと、
前記プリント基板の一つの面に搭載され、前記導体パターンと接続されるチップアンテナと、
前記装置の筐体内に、前記導体パターンの一端と接触可能に配置された板金アンテナ部と、を備えたことを特徴とする、アンテナ。
【請求項２】
請求項１記載のアンテナにおいて、
前記導体パターンは、前記プリント基板の第一の面に形成された第一の導体パターンと、
前記プリント基板の第二の面に形成された第二の導体パターンとを備え、
前記第一の導体パターンの一端と、前記第二の導体パターンの一端とは、前記プリント基板に形成されたスルーホールを介して接続されることを特徴とする、アンテナ。
【請求項３】
請求項１に記載のアンテナにおいて、
前記導体パターンは前記プリント基板の第一面に形成され、
前記チップアンテナは前記プリント基板の第二面に配置されており、
前記導体パターンの一端と、前記チップアンテナの一端とは、前記プリント基板に形成されたスルーホールを介して接続されることを特徴とする、アンテナ。
【請求項４】
付記４に記載のアンテナにおいて、
前記板金アンテナ部の一端は、ばね性を有した第一の接点として形成されており、
前記導体パターンの一端には、前記第一の接点が接触する第二の接点が形成されていることを特徴とする、アンテナ。
【請求項５】
無線機能を有する端末装置において、
回路を搭載する回路基板と、
前記回路基板上に形成された導体パターンと、
前記回路基板上に搭載されたチップアンテナと、
板金により構成された板金アンテナとを有し、
前記チップアンテナと、前記導体パターンと、前記板金アンテナが接続された状態で内蔵アンテナを構成していることを特徴とする、端末装置。
【請求項６】
請求項５に記載の端末装置において、
前記導体パターンは、前記回路基板の第一の面上に形成されるとともに、
前記チップアンテナは前記回路基板の第二の面上に形成され、
前記導体パターンの一端と、前記チップアンテナの一端とは、前記回路基板に形成されたスルーホールを介して接続されていることを特徴とする、端末装置。
【請求項７】
請求項５に記載の端末装置において、
前記導体パターンは、前記回路基板の第一の面上に形成された第一の導体パターン部と、前記回路基板の第二の面上に形成された第二の導体パターン部とを有し、
前記第一の導体パターン部と前記第二の導体パターン部とは、前記回路基板に形成されたスルーホールを介して接続されていることを特徴とする、端末装置。
【請求項８】
請求項５に記載の端末装置は、
利用者により操作される操作部を有する第一の筐体と、
前記第一の筐体に対して開閉可能に支持されている第二の筐体とを有し、
前記内蔵アンテナは、前記第二の筐体内に収納されていることを特徴とする、端末装置。
【請求項９】
請求項８に記載の端末装置は携帯電話装置であり、
前記第二の筐体には、通話時の通話相手からの音声を出力するレシーバが設けられ、
前記内蔵アンテナは前記レシーバが配置された位置付近に配置されていることを特徴とする、端末装置。
【請求項１０】
請求項５に記載の端末装置において、
前記内蔵アンテナは、短波長帯用アンテナであることを特徴とする、端末装置。
【発明の詳細な説明】
【技術分野】
【０００１】
本発明はアンテナおよび、アンテナを備えた、無線機能を有する端末装置に関する。本発明は特に、１０ＭＨｚから１００ＭＨｚ程度の、低周波帯を利用した無線通信のためのアンテナ構造、あるいはこのようなアンテナを備えた端末装置に関する。
【０００２】
このような端末装置の例として、携帯電話装置があげられる。携帯電話装置では、例えばＷ−ＣＤＭＡやｃｄｍａ２０００といった通信方式による通信が行われている。このような通信では、数１００ＭＨｚから数ＧＨｚの帯域の電波を利用して、音声やデータ通信が行われ、そのためのアンテナが携帯電話装置の筐体内に設けられている。
【０００３】
以下の説明では、端末装置例として特に携帯電話装置を取り上げて説明を行うが、本発明は携帯電話装置に限定されることを主旨とするものではない。
【背景技術】
【０００４】
ここで、近年では携帯電話装置に数多くの機能が搭載されるようになって来た。その機能の一例として、ＦＭ放送の送受信機能が上げられる。
【０００５】
携帯電話装置にＦＭ放送の受信機能を加えることによって、携帯電話装置を用いてＦＭ放送を聴くことが可能となる。一方、携帯電話装置に音楽データを記憶させて、携帯電話装置を用いて音楽を聴くという用途がある。その際に、微弱なＦＭ放送に対応した帯域の電波を利用して、外部の受信装置に携帯電話装置に記憶された音楽データを送信して、外部受信装置で音楽を聴くという用途も考えられている。
【０００６】
図８は、従来の携帯電話装置の外観を示す図面である。図において、１０１は上部筐体、１０２は下部筐体である。上部筐体１０１と下部筐体１０２とは、ヒンジ機構１０３によって回動可能に接続されている。また、携帯電話装置内には、音声やデータ通信を行うための内蔵アンテナ１０４が設けられている。
【０００７】
一方、携帯電話装置には外付けのイヤホン１０５を着脱自在に接続することができる。このイヤホン１０５を用いることで、携帯電話装置内に記憶された音楽などを聴くことが可能である。また、イヤホン１０５をＦＭ放送受信用のアンテナとして用いることで、携帯電話装置を用いてＦＭ放送を聴くことが可能となる。
【特許文献１】特開平９−３３１２０９号公報
【発明の開示】
【発明が解決しようとする課題】
【０００８】
ところが、従来の技術では以下のような問題が生じていた。
【０００９】
従来の携帯電話装置では、イヤホンをアンテナに兼用しているため、ＦＭ放送受信のためにイヤホンを用いる必要があった。
【００１０】
一方、携帯電話装置にスピーカを設け、このスピーカを用いて音楽などを聴くという利用形態がある。このスピーカを用いてＦＭ放送を聴こうとしても、ＦＭ放送受信のためには携帯電話装置にイヤホン１０５を接続しておく必要がある。この場合には、イヤホンからの音声出力が優先され、スピーカから音声を出力することができない。
【００１１】
これに対し、スピーカからの音声出力を可能とするためには、アンテナとして利用されるイヤホンを携帯電話装置から取り外さなければならず、ＦＭ放送の受信自体ができないという問題点がある。
【００１２】
携帯電話装置からのＦＭを利用した情報送信の場合にも、携帯電話装置にイヤホンを接続したままでなければ外部の受信装置への情報通信を行うことができない。
【００１３】
また、ＦＭ放送などに用いられる１０ＭＨｚから１００ＭＨｚ程度の低周波帯の電波は、１／４波長が数ｍに達する。このような波長に対応するアンテナを携帯電話装置のような小型装置の筐体内に格納するのはただでさえ困難である。特に、携帯電話装置は高機能化が進んでおり、各種の回路やカメラ、スピーカなどの各種モジュールが筐体内に多数配置される傾向にある。このような状況でアンテナを筐体内に設置しようとしても、他の部品とアンテナが干渉する恐れが高い。また、場合によってはアンテナを収納する筐体の大型化を招き、携帯電話装置のデザイン性が損なわれるというデメリットがある。
【００１４】
携帯電話装置の中には、図８に示したように折畳み式筐体を採用した装置が存在する。このような装置では、筐体内のスペースに比較的余裕があり、アンテナの実装スペースも相対的に確保しやすいと考えられる。しかし、アンテナの実装場所が問題となり得る。例えば、下部筐体には操作部が設けられるなど、操作者が筐体を握る状況が起こりやすい。このような下部筐体にアンテナを収納した場合、操作者が下部筐体を握った際に操作者の手がアンテナに近接しやすい。人体がアンテナに近接した場合、アンテナインピーダンスの乱れや電波の放射効率劣化などを招き、ＦＭ放送の送受信に支障をきたす可能性がある。
【００１５】
本発明は上記のような問題点を解決することを目的とする。
【課題を解決するための手段】
【００１６】
上記の課題を解決するために、本発明によるアンテナは、搭載される装置のプリント基板の少なくとも一つの面に形成された導体パターンと、プリント基板の一つの面に搭載されて導体パターンと接続されるチップアンテナと、装置の筐体内に導体パターンの一端と接触可能に配置された板金アンテナ部とを備えたことを特徴とする。
【００１７】
特に、本発明のアンテナは、導体パターンが、プリント基板の第一の面に形成された第一の導体パターンと、プリント基板の第二の面に形成された第二の導体パターンとを備え、第一の導体パターンの一端と第二の導体パターンの一端とは、プリント基板に形成されたスルーホールを介して接続されることを特徴とする。
【００１８】
また、本発明のアンテナは、導体パターンはプリント基板の第一面に形成され、チップアンテナはプリント基板の第二面に配置されており、導体パターンの一端とチップアンテナの一端とは、プリント基板に形成されたスルーホールを介して接続されることを特徴とする。
【００１９】
さらに、本発明によるアンテナは、板金アンテナ部の一端がばね性を有した第一の接点として形成されており、導体パターンの一端には第一の接点が接触する第二の接点が形成されていることを特徴とする。
【００２０】
一方、本発明による端末装置は、回路を搭載する回路基板と、回路基板上に形成された導体パターンと、回路基板上に搭載されたチップアンテナと、板金により構成された板金アンテナとを有し、チップアンテナと導体パターンと板金アンテナとが接続された状態で内蔵アンテナを構成することを特徴とする。
【００２１】
特に、本発明による端末装置では、導体パターンが、回路基板の第一の面上に形成されるとともに、チップアンテナは回路基板の第二の面上に形成され、導体パターンの一端とチップアンテナの一端とが回路基板に形成されたスルーホールを介して接続されていることを特徴とする。
【００２２】
また、本発明による端末装置では、導体パターンが回路基板の第一の面上に形成された第一の導体パターン部と、回路基板の第二の面上に形成された第二の導体パターン部とを有し、第一の導体パターン部と第二の導体パターン部とが回路基板に形成されたスルーホールを介して接続されていることを特徴とする。
【００２３】
さらに、本発明による端末装置では、利用者により操作される操作部を有する第一の筐体と、第一の筐体に対して開閉可能に支持されている第二の筐体とを有し、内蔵アンテナは第二の筐体内に収納されていることを特徴とする。
【００２４】
特に、第二の筐体には通話時の通話相手からの音声を出力するレシーバが設けられ、内蔵アンテナは前記レシーバが配置された位置付近に配置されていることを特徴とする。
【００２５】
さらにまた、内蔵アンテナは短波長帯用アンテナであることを特徴とする。
【発明の効果】
【００２６】
本発明によれば、アンテナを装置内部の空間に有効的に収納可能となる。特に、アンテナを複数の要素から構成し、これらを三次元的（基板の表裏など）に配置することで、空間の効率的な利用を可能とするとともに、アンテナの実効長を所望のものに近づけることもできる。
【００２７】
また、装置内部に有効的にアンテナを配置可能となることから、例えば装置外部にアンテナを外付けする必要がなく、上記の例と比較するとイヤホンを装置に付けたままにしてのＦＭ放送受信が解消できる。
【００２８】
一方、装置内部にアンテナを収納可能としていることから、筐体の大型化などの対応によるアンテナ内蔵を行う必要がなくなり、筐体デザインを損なうこともない。
【００２９】
さらには、アンテナを操作者が把持しない筐体位置に配置することによって、人体によるアンテナインピーダンスの乱れなどの問題が生じる可能性を低減させることができる。折りたたみ式の筐体を有する装置において、一方の筐体の最上部にアンテナを収納するのは、この効果を生む一対応策である。
【発明を実施するための最良の形態】
【００３０】
以下、図面を用いて本発明の実施形態について説明する。なお、以下の説明では端末装置の例として携帯電話装置を対象とするが、本発明の適用される装置は携帯電話装置に限定されるものではない。
図１は、本実施形態による携帯電話装置の外観を示す図面である。図１（ａ）はカバーを開いた状態、図１（ｂ）はカバーを閉じた状態を示す。図１から明らかな通り、本実施形態による携帯電話は、上部筐体１と下部筐体２との二つに分割された筐体を有する（上記の「カバー」に相当する）。上部筐体１と下部筐体２とは、回動可能なヒンジ機構３により接続されており、相互に開閉可能となっている。通話時には、図１（ａ）に示されるように、上部筐体１と下部筐体２とを開いた形態で用いられる。通話を行わない場合には、図１（ｂ）に示されるように上部筐体１と下部筐体２とを閉じた状態とすることができる。
図１（ａ）に示されるように、上部筐体１の裏面には、各種の情報を表示するための液晶ディスプレイ７が設けられる。また、液晶ディスプレイ７の上側には、通話時に通話している相手の音声を聞くためのレシーバ１０が設けられる。一方、上部筐体１の両側面にはスピーカ１１が設けられている。このスピーカ１１は、通話している相手の音声を聞くために用いられるとともに、携帯電話を用いて音楽を聴く際に利用される。さらに、上部筐体１には、画像を撮像するためのカメラ１２が設けられる。
一方、下部筐体２には、電話番号や文字を入力する際に用いられるキーを備えた操作部８が設けられる。また、操作部８の下部には、通話時に携帯電話の利用者が発する音声を集音する集音マイク９が設けられる。一方、下部筐体２の裏面には、携帯電話に電源を供給するバッテリ１３が設けられ、さらに下部筐体２の内部にはメインアンテナ４などが設けられる。また、携帯電話には、図示しない通信を行うための各種回路が設けられている。
メインアンテナ４は、音声による通話あるいはデータ通信を行うために用いられる内蔵アンテナである。携帯電話装置では、例えばＷ−ＣＤＭＡやｃｄｍａ２０００などの通信方式に対応した、数１００ＭＨｚ帯から数ＧＨｚ帯の高周波帯を利用して通信が行われ、メインアンテナ４はこの高周波帯の電波に対応したものである。
一方、低周波用アンテナ６は、ＦＭ放送のような１０ＭＨｚから１００ＭＨｚ程度の低周波を用いた通信に用いられる。本実施形態による携帯電話は、図示しない記憶部に記憶された音楽などのデータを微弱なＦＭ通信によって外部の受信装置に送信し、外部受信装置を用いて記憶部に記憶された音楽を聴くという利用形態に対応している。なお、詳細は後述するように、本実施形態による低周波用アンテナ６は、複数のアンテナ素子から構成される。また、本実施形態では、低周波用アンテナ６は上部筐体１の最上部、レシーバ１０付近に設けられている。この位置は、通話時に携帯電話装置の操作者が把持する可能性の低い位置である。
図２は、本実施形態による携帯電話の上部筐体１を分解した状態を示す斜視図である。上部筐体１は、フロントケース１４とリアケース１５とから構成される。フロントケース１４とリアケース１５とは、ネジ１９で固定される。
上部筐体１内には、プリント基板１６が収納される。プリント基板１６上には、カメラユニット１２が直接搭載されている。また、プリント基板１６上には、図示しない各種の回路素子が搭載される。プリント基板１６の上にはさらにケーブルコネクタ１７が設けられる。ケーブルコネクタ１７には、下部筐体２から延びている同軸ケーブル１８が接続され、これによって下部筐体２内の回路と上部筐体１内の回路とが接続される。フロントケース１４とプリント基板１６との間には、液晶ディスプレイユニット７が取付けられる。
一方、上部筐体１には、前述のスピーカ１１が収納されている。スピーカ１１は左右各ひとつずつ、計２個設けられる。さらに、上部筐体１の上部には、レシーバ１０が収納される。液晶ディスプレイユニット７、カメラユニット１２、スピーカ１１、レシーバ１０はそれぞれプリント基板１６に接続されており、これら各ユニットの動作はプリント基板１６に搭載された回路によって制御される。
このように、上部筐体１内には、さまざまな部品が搭載されており、各部品はそれぞれが干渉しないように配置される必要がある。さらに、本実施形態の上部筐体１には、低周波用アンテナ６が搭載されているが、低周波用アンテナ６も他の部品と干渉しないように、限られたスペース内に、所定の波長の電波に対応した実効長を有するように配置することが求められる。このため、本実施形態による低周波用アンテナ６は、基板アンテナ部２０と板金アンテナ２１とを有する。
基板アンテナ部２０は、上部筐体１に収納されるプリント基板１６の図示上部に形成されている。図３および図４は、プリント基板１６の上部付近を拡大図示した図面である。ここで、図３はプリント基板１６の一方の面を、図４はプリント基板１６の他方の面を示している。プリント基板１６の上部には、レシーバ１０が接続されるレシーバコネクタ２９が設けられる。
図３に示されるように、プリント基板１６の上には、基板アンテナ部２０を構成する要素として、チップアンテナ２２が設けられている。チップアンテナ２２には、インピーダンス整合を取るための整合回路２６を介してＦＭ受信／送信モジュール２７が接続されている。ＦＭ受信／送信モジュール２７は、低周波用アンテナ６を介した電波の送受信処理を行うものである。一方、チップアンテナ２２の他端には、プリント基板１６の裏面に貫通する第一のスルーホール２３ａが接続されている。
また、プリント基板１６の同じ面には、導体パターン２４が形成されている。導体パターン２４の一端には、後述する板金アンテナ２１が接する板金アンテナ接点２５が形成されている。また、導体パターン２４の他端には、第二のスルーホール２３ｂが形成されている。
一方、プリント基板１６の他面には、図４に示されるように導体パターン２４ａが形成されている。導体パターン２４ａの一端には第一のスルーホール２３ａが接続されており、他端には第二のスルーホール２３ｂが接続されている。導体パターン２４ａはＳ字状に形成されており、この形状によって実効長が可能な限り延びるようにされている。
プリント基板１６の上には、配線パターンが形成されている。本実施形態による導体パターン２４、２４ａは、これら配線パターンと同様の手法でプリント基板１６上に形成することができる。
導体パターン２４と導体パターン２４ａとは、第二のスルーホール２３ｂを介して接続されている。一方、導体パターン２４ａとチップアンテナ２２とは、第一のスルーホール２３ａを介して接続されている。このように、チップアンテナ２２−導体パターン２４ａ−導体パターン２４が連続的に接続され、総体として基板アンテナ部２０を形成している。また、導体パターン２４／チップアンテナ２２と導体パターン２４ａとは、それぞれプリント基板の異なる面に配置されており、基板アンテナ２０配置のための空間を有効的に確保できるようにしている。
なお、プリント基板１６は、ネジ止め部２８を介してフロントケース１４とリアケース１５との間に固定される。
図５は本実施形態による板金アンテナ２１の斜視図を、同様に図６は板金アンテナ２１の正面図を示している。本実施形態による板金アンテナ２１は、一枚の板金により構成されている。
板金アンテナ２１の一端には、ばね接点３０が形成されている。ばね接点３０は、板金アンテナ２１の一端を折り曲げて、ばね性を持たせたものである。図６では、折り返し部分となるばね接点３０は点線にて図示されている。一方、板金アンテナ２１の他端はアンテナ端３２として作用する。アンテナ端３２付近には、板金アンテナ２１を筐体に対して固定するためのネジ止め孔３２が形成されている。
図２において、リアケース１５の上部は複数の区画に区切られている。このうち、上から２段目の区切りには、左右のスピーカ１１が収納される。また、最上段の図示左側には、レシーバ１０が収納される。スピーカ１１が収納される領域の下は、下部筐体２から引き出される同軸ケーブル１８の引き出し口が設けられ、かつプリント基板１６の上にはカメラユニット１２をはじめとする各種回路ユニットが搭載されている。本実施形態による板金アンテナ２１は、リアケース１５の区切り部分のうち、何も収納されない図示最上段右側の区切り内に収納される。このように、本実施形態による板金アンテナ２１は、他の部品と干渉しない位置で、且つ筐体内にあるわずかな隙間内に設けられる。
本実施形態による板金アンテナ２１は、図５および図６に示されるようにＳ字状の形状に形成されている。これは、導体パターン２４ａの場合と同様に、アンテナの実効長を増すための対応であると同時に、上記の限られた領域内に板金アンテナ２１を収納可能とするための対応でもある。
図７は、本実施形態による板金アンテナ２１とプリント基板１６および基板アンテナ部２０とを接続した状態を示している。板金アンテナ２１のネジ止め孔３２は、プリント基板１６に形成されたネジ止め部２８と重ねられた上で、図２に図示されたネジ９によってフロントケース１４とリアケース１５との間に挟まれるように固定される。
一方、板金アンテナ２１のばね接点３０は、板金アンテナ２１の一端がプリント基板１６に対して固定された状態で、プリント基板１６に形成された板金アンテナ接点２５に対向する位置に配置される。板金アンテナ２１の一端が固定されていることで、ばね接点３０と板金アンテナ接点２５とが電気的に接触し、板金アンテナ２１と基板アンテナ部２０とが一体の低周波用アンテナ６を構成する。板金アンテナ２１と基板アンテナ部２０とを接続することで、低周波用アンテナ６の実効長をさらに延ばすことが可能となる。
板金アンテナ２１は、プリント基板１６上に形成された基板アンテナ部２０上に重ねられるように配置される。このように、アンテナを三次元的に配置することによって、低周波用アンテナ６収納のための空間を効率的に確保することが可能となる。
携帯電話装置はその筐体サイズが小さいために、新たな部品を付加するための筐体内の余裕に乏しい。しかし、本実施形態によるアンテナを用いることで、わずかな携帯電話装置筐体内のわずかなスペースに、必要とされる実効長を有するアンテナを有効に配置することが可能となる。
上記説明したように、本実施形態では、携帯電話装置が利用されている際に操作者が把持する可能性の低い、液晶ディスプレイが搭載された上部筐体内に、低周波用アンテナを搭載している。これによって、人体によるアンテナインピーダンスの乱れ、放射効率の劣化などが生じる可能性を低減することが可能となる。
また、本実施形態による携帯電話装置では、上部筐体内のデッドスペースを利用して、限られた空間内に低周波用アンテナを収容することができる。特に、上記実施形態例で具体的に言えば、チップアンテナと、プリント基板上に形成された導体パターン、そして板金アンテナといった形式の異なる複数のアンテナ要素を立体的な配置で組み合わせることによって、アンテナ配置上の問題を効率的に解決するとともに、要求されるアンテナの実効長を確保することができる。このため、携帯電話装置の外部に外付けのアンテナ素子を取り付ける必要がなくなり、また筐体のデザインを損なうことなく、ＦＭ放送などの低周波帯を利用した送受信を行うことが可能となる。
本発明は、特に以下の点を特徴としている。
（付記１）
無線機能を有する装置に搭載可能なアンテナにおいて、
前記装置のプリント基板の少なくとも一つの面に形成された導体パターンと、
前記プリント基板の一つの面に搭載され、前記導体パターンと接続されるチップアンテナと、
前記装置の筐体内に、前記導体パターンの一端と接触可能に配置された板金アンテナ部と、を備えたことを特徴とする、アンテナ。
（付記２）
付記１記載のアンテナにおいて、
前記導体パターンは、前記プリント基板の第一の面に形成された第一の導体パターンと、
前記プリント基板の第二の面に形成された第二の導体パターンとを備え、
前記第一の導体パターンの一端と、前記第二の導体パターンの一端とは、前記プリント基板に形成されたスルーホールを介して接続されることを特徴とする、アンテナ。
（付記３）
付記１に記載のアンテナにおいて、
前記導体パターンは前記プリント基板の第一面に形成され、
前記チップアンテナは前記プリント基板の第二面に配置されており、
前記導体パターンの一端と、前記チップアンテナの一端とは、前記プリント基板に形成されたスルーホールを介して接続されることを特徴とする、アンテナ。
（付記４）
付記１に記載のアンテナにおいて、
前記板金アンテナ部の一端は、ばね性を有した第一の接点として形成されており、
前記導体パターンの一端には、前記第一の接点が接触する第二の接点が形成されていることを特徴とする、アンテナ。
（付記５）
無線機能を有する端末装置において、
回路を搭載する回路基板と、
前記回路基板上に形成された導体パターンと、
前記回路基板上に搭載されたチップアンテナと、
板金により構成された板金アンテナとを有し、
前記チップアンテナと、前記導体パターンと、前記板金アンテナが接続された状態で内蔵アンテナを構成していることを特徴とする、端末装置。
（付記６）
付記５に記載の端末装置において、
前記導体パターンは、前記回路基板の第一の面上に形成されるとともに、
前記チップアンテナは前記回路基板の第二の面上に形成され、
前記導体パターンの一端と、前記チップアンテナの一端とは、前記回路基板に形成されたスルーホールを介して接続されていることを特徴とする、端末装置。
（付記７）
付記５に記載の端末装置において、
前記導体パターンは、前記回路基板の第一の面上に形成された第一の導体パターン部と、前記回路基板の第二の面上に形成された第二の導体パターン部とを有し、
前記第一の導体パターン部と前記第二の導体パターン部とは、前記回路基板に形成されたスルーホールを介して接続されていることを特徴とする、端末装置。
（付記８）
付記５に記載の端末装置は、
利用者により操作される操作部を有する第一の筐体と、
前記第一の筐体に対して開閉可能に支持されている第二の筐体とを有し、
前記内蔵アンテナは、前記第二の筐体内に収納されていることを特徴とする、端末装置。
（付記９）
付記８に記載の端末装置は携帯電話装置であり、
前記第二の筐体には、通話時の通話相手からの音声を出力するレシーバが設けられ、
前記内蔵アンテナは前記レシーバが配置された位置付近に配置されていることを特徴とする、端末装置。
（付記１０）
付記５に記載の端末装置において、
前記内蔵アンテナは、短波長帯用アンテナであることを特徴とする、端末装置。
（付記１１）
筐体と、
筐体内に収納される回路基板と、
回路基板上に形成された基板アンテナ部と、
前記基板アンテナ部に接触する接点が形成され、前記基板アンテナ部の上に載置される第二のアンテナ部と、を備えることを特徴とする、情報端末装置。
（付記１２）
付記１１記載の情報端末装置において、
前記基板アンテナ部は、前記回路基板上に形成された導体パターンを含むことを特徴とする、情報端末装置。
【図面の簡単な説明】
【００３１】
【図１】本発明の一実施形態が適用される携帯電話装置の外観を示す図面である。
【図２】一実施形態による携帯電話装置の上部筐体の分解斜視図である。
【図３】一実施形態による携帯電話装置のプリント基板第一面を示す図面である。
【図４】一実施形態による携帯電話装置のプリント基板第二面を示す図面である。
【図５】一実施形態による板金アンテナの斜視図である。
【図６】一実施形態による板金アンテナの正面図である。
【図７】一実施形態による板金アンテナをプリント基板上に配置した状態を示した図            面である。
【図８】携帯電話装置の一例を示す図面である。
【符号の説明】
【００３２】
１・・・上部筐体
２・・・下部筐体
６・・・低周波用アンテナ
７・・・液晶ディスプレイ
１６・・・プリント基板
２０・・・基板アンテナ部
２１・・・板金アンテナ
２２・・・チップアンテナ
２３・・・スルーホール
２４・・・導体パターン
【図１】
2008153801.tif 000003
【図２】
2008153801.tif 000004
【図３】
2008153801.tif 000005
【図４】
2008153801.tif 000006
【図５】
2008153801.tif 000007
【図６】
2008153801.tif 000008
【図７】
2008153801.tif 000009
【図８】
2008153801.tif 000010